(57)【要約】      （修正有）【課題】カラオケ機器のメンテナンスや交換作業を行うときに、作業者が一人であっても簡便にカラオケ機器を移動することができ、カラオケ機器の筐体の大きさに応じてスライド棚の高さを調整することができ、スライド棚の高さ調整をするときにカラオケ機器の配線を都度取り外すことなく簡便に作業することなどができるラックを提供する。【解決手段】天板１と、天板の下方に位置する底板２と、天板と底板に当接し、長手方向に互いに対向する複数の係合穴３１が設けられた２枚の側壁板３と、天板と底板に当接し、所定の間隔をあけて立設されている第一背面板４と第二背面板５と、係合穴に対し着脱自在である伸縮手段６を介し、それぞれの側壁板の短手方向に対して移動可能であり、カラオケ機器の筐体を載置するスライド棚７と、底板の底面の四隅それぞれに設けられた方向変換自在の脚輪８とを備える。【選択図】図１
0003205932.tif 000002
【実用新案登録請求の範囲】
【請求項１】
天板と、
前記天板の下方に位置する底板と、
前記天板と前記底板に当接し、長手方向に互いに対向する複数の係合穴が設けられた２枚の側壁板と、
前記天板と前記底板に当接し、所定の間隔をあけて立設されている第一背面板と第二背面板と、
前記係合穴に対し着脱自在である伸縮手段を介し、それぞれの前記側壁板の短手方向に対して移動可能であり、カラオケ機器の筐体を載置するスライド棚と、
前記底板の底面の四隅それぞれに設けられた方向変換自在の脚輪と
を備えることを特徴とするカラオケ機器用スライド棚付きラック。
【請求項２】
前記伸縮手段が、それぞれの前記側壁板の内側に設けられた第一レールと、前記スライド棚の両側面に設けられた第二レールと、
前記第一レールと前記第二レールとの間に回転自在に設けられた回転体を有することを特徴とする請求項１に記載のカラオケ機器用スライド棚付きラック。
【請求項３】
前記第一背面板と前記第二背面板が平行に設けられ、それぞれの間隔が２５０〜３５０ｍｍであることを特徴とする請求項１又は請求項２に記載のカラオケ機器用スライド棚付きラック。
【請求項４】
前記スライド棚７の底面に窪んで設けられた引手溝を備えることを特徴とする請求項１から請求項３のいずれかに記載のカラオケ機器用スライド棚付きラック。
【請求項５】
前記スライド棚７の上面に着脱可能である棒部材を備えることを特徴とする請求項１から請求項４のいずれかに記載のカラオケ機器用スライド棚付きラック。
【請求項６】
少なくとも一方の前記側壁板の外側に充電スタンドが固設されていることを特徴とする請求項１から請求項５のいずれかに記載のカラオケ機器用スライド棚付きラック。
【考案の詳細な説明】
【技術分野】
【０００１】
この考案は、カラオケボックスなどのカラオケを楽しむための施設内に設置され、カラオケ機器を載置するためのラックに関するものである。
【背景技術】
【０００２】
従来、カラオケ施設内に設置され、カラオケ機を載置するラックは種々のものが知られている。例えば、一般に、略直方体状で固定式の棚板が複数段設けられ、そのうちの一つの棚板にカラオケ機器の筐体を載置して収納するラックが存在している。
【０００３】
また、特許文献１には、カラオケ機器とは異なるが、サーバ用コンピュータ等の電子機器を収納する電子機器用筐体が開示されている。特許文献１において、案内レール１１０と伸縮レール１２０を有するスライドレール１００と電子機器３００の左右側面に固定される固定レール３１０が互いに滑り電子機器３００を前後移動させることができるラックが開示されている。なお、当該段落における符号は、特許文献１の図１に記載の符号である。
【先行技術文献】
【特許文献】
【０００４】
【特許文献１】特開２０１５−３７１５３号公報
【考案の概要】
【考案が解決しようとする課題】
【０００５】
しかしながら、従来のカラオケ機器を固定式の棚板に載置して収納するラックでは、カラオケ機器に設けられた空冷ファンの給気孔がカラオケ機器の左右側面に取り付けられているためにその給気孔に溜まった埃を掃除するというメンテナンスやカラオケ機器そのものを交換する作業を行うときには、固定式の棚板から持ち上げてラックの外に取り出す必要があるため、カラオケ機器の重量が重いこともあり作業者が腰を痛めることがあり、あるいは、複数の作業者で取り出さなければならないという課題があった。
【０００６】
また、特許文献１の記載のラックでは、基本的にサーバにかかる電子機器を想定していることから、カラオケ機器を収納するラックとしては、ラック自体を移動させるには一人の作業者で行うことが難しく、また、背面を保護する部材がないためカラオケ機器を設置する施設では多い背面から侵入する埃を防ぎにくいという課題があった。
【０００７】
そこで、本考案は、カラオケ機器のメンテナンスや交換作業を行うときに、作業者が一人であっても簡便にカラオケ機器を移動することができ、作業者が一人であってもカラオケ施設内で容易に設置場所を変更することができ、カラオケ機器の筐体の大きさに応じてスライド棚の高さを調整することができ、背面側から侵入する埃を防ぎながらもスライド棚の高さ調整をするときにカラオケ機器の配線を都度取り外すことなく簡便に作業することができるラックを提供することを目的としてなされたものである。
【課題を解決するための手段】
【０００８】
〔１〕すなわち、本考案は、天板（１）と、前記天板（１）の下方に位置する底板（２）と、前記天板（１）と前記底板（２）に当接し、長手方向に互いに対向する複数の係合穴（３１）が設けられた２枚の側壁板（３・３）と、前記天板（１）と前記底板（２）に当接し、所定の間隔をあけて立設されている第一背面板（４）と第二背面板（５）と、前記係合穴（３１）に対し着脱自在である伸縮手段（６）を介し、それぞれの前記側壁板（３・３）の短手方向に対して移動可能であり、カラオケ機器（Ｍ）の筐体を載置するスライド棚（７）と、前記底板（２）の底面の四隅それぞれに設けられた方向変換自在の脚輪（８）とを備えることを特徴とするカラオケ機器用スライド棚付きラックである。
【０００９】
〔２〕そして、前記伸縮手段（６）が、それぞれの前記側壁板（３・３）の内側に設けられた第一レール（６１）と、前記スライド棚（７）の両側面に設けられた第二レール（６２）と、前記第一レール（６１）と前記第二レール（６２）との間に回転自在に設けられた回転体（６３）を有することを特徴とする前記〔１〕に記載のカラオケ機器用スライド棚付きラックである。
【００１０】
〔３〕そして、前記第一背面板（４）と前記第二背面板（５）が平行に設けられ、それぞれの間隔が２５０〜３５０ｍｍであることを特徴とする前記〔１〕又は前記〔２〕に記載のカラオケ機器用スライド棚付きラックである。
【００１１】
〔４〕そして、前記スライド棚（７）の底面に窪んで設けられた引手溝（７１）を備えることを特徴とする前記〔１〕から前記〔３〕のいずれかに記載のカラオケ機器用スライド棚付きラック。
【００１２】
〔５〕そして、前記スライド棚（７）の上面に着脱可能である棒部材（７２）を備えることを特徴とする前記〔１〕から前記〔４〕のいずれかに記載のカラオケ機器用スライド棚付きラック。
【００１３】
〔６〕そして、少なくとも一方の前記側壁板（３）の外側に充電スタンド（Ｓ）が固設されていることを特徴とする前記〔１〕から前記〔５〕のいずれかに記載のカラオケ機器用スライド棚付きラックである。
【考案の効果】
【００１４】
本考案によれば、カラオケ機器のメンテナンスや交換作業を行うときに、作業者が一人であっても簡便にカラオケ機器を移動することができ、作業者が一人であってもカラオケ施設内で容易に設置場所を変更することができ、カラオケ機器の筐体の大きさに応じてスライド棚の高さを調整することができ、背面側から侵入する埃を防ぎながらもスライド棚の高さ調整をするときにカラオケ機器の配線を都度取り外すことなく簡便に作業することができる。
【図面の簡単な説明】
【００１５】
【図１】本考案のカラオケ機器用スライド棚付きラックの第一実施形態を示す前方斜視図である。
【図２】本考案のカラオケ機器用スライド棚付きラックの第一実施形態を示す後方斜視図である。
【図３】本考案のカラオケ機器用スライド棚付きラックの第一実施形態におけるＡ−Ａ線断面図である。
【図４】本考案のカラオケ機器用スライド棚付きラックの第一実施形態におけるＢ−Ｂ線断面図である。
【図５】本考案のカラオケ機器用スライド棚付きラックの第一実施形態におけるα部拡大図である。
【図６】本考案のカラオケ機器用スライド棚付きラックの第一実施形態においてスライド棚を引きだした状態を示す前方斜視図である。
【図７】本考案のカラオケ機器用スライド棚付きラックの第二実施形態を示す前方斜視図である。
【考案を実施するための形態】
【００１６】
以下、本考案のカラオケ機器用スライド棚付きラックに関する実施形態を、図面に基づいて詳細に説明する。なお、範囲を表す記号については上限下限を含むものとする。
【００１７】
＜第一実施形態＞
図１〜図６に示すように、本実施形態のカラオケ機器用スライド棚付きラックは、天板１と、天板１の下方に位置する底板２と、天板１と底板２に当接し、長手方向に互いに対向する複数の係合穴３１が設けられた２枚の側壁板３・３と、天板１と底板２に当接し、所定の間隔をあけて立設されている第一背面板４と第二背面板５と、係合穴３１に対し着脱自在である伸縮手段６を介し、それぞれの側壁板３・３の短手方向に対して移動可能であり、カラオケ機器Ｍの筐体を載置するスライド棚７と、底板２の底面の四隅それぞれに設けられた方向変換自在の脚輪８・８・８・８とを備えている。
【００１８】
天板１は、本考案のラックの最上部に位置する板部材である。本実施形態において、天板１は、前面側の二つの角が曲率半径を１５ｍｍ〜３０ｍｍとする丸みを帯びた略長方形状となっており、カラオケ機器Ｍを使用またはメンテナンスする際に使用者や作業者が当接して怪我することを防止することができる。天板１の表面は平坦であるが、微細な凹凸を設けてザラザラとした質感にするよう加工されている。この加工により、マイク、マイクスタンド、スピーカーなどのカラオケの用に供する備品を載置したときに滑りおちることを防ぐことができる。
【００１９】
底板２は、天板の下方に位置する部材である。本実施形態において、底板２は、前面側の二つの角が曲率半径を１．５〜３．０ｃｍとする丸みを帯びた略長方形状となっており、カラオケ機器Ｍを使用またはメンテナンスする際に使用者や作業者が当接して怪我することを防止することができる。
【００２０】
側壁板３・３は、天板１と底板２に当接し、長手方向に互いに対向する複数の係合穴３１が設けられた２枚の板部材である。側壁板３・３の短辺側が、それぞれ天板１と底板２に固定されている長方形状の部材であり、本実施形態のラックとしては、天地方向に長細い形状となる。一の側壁板３の内側には、長手方向に直径を５ｍｍ〜１０ｍｍとする４個の円形の係合穴３１が３５ｍｍ〜５５ｍｍ間隔で設けられており、それぞれの係合穴３１に対して短手方向にも同様に２個ずつ係合穴３１が設けられている。このため、係合穴３１は、４行３列の格子状に設けられている。また、他の側壁板３の内側にも同様に一の側壁板３の内側に設けられた複数の係合穴３１と対向するように複数の係合穴３１が設けられている。複数の係合穴３１が、それぞれの側壁板３・３において長手方向に互いに対向するように設けられていることにより、係合穴３１と着脱自在である伸縮手段６を介したスライド棚７を、カラオケ機器Ｍの大きさや好ましレイアウトなどに応じて天地方向に複数段階の高さ調節を行うことできる。
【００２１】
そして、側壁板３・３には、複数の係合穴３１とは独立して、長手方向に互いに対向する複数の第一螺子穴３２が設けられている。一の側壁板３の内側には、長手方向に直径を５ｍｍ〜１０ｍｍとする９個の円形の第一螺子穴３２が４０ｍｍ〜５０ｍｍ間隔で設けられており、それぞれの第一螺子穴３２に対して短手方向にも同様に１個ずつ第一螺子穴３２が設けられている。このため、第一螺子穴３２は、９行２列の格子状に設けられている。また、他の側壁板３の内側にも同様に一の側壁板３の内側に設けられた複数の第一螺子穴３２と対向するように複数の第一螺子穴３２が設けられている。複数の第一螺子穴３２が、それぞれの側壁板３・３において長手方向に互いに対向するように設けられていることにより、第一螺子穴３２と螺着する係止ピンＰを介して係止される可動棚板９を、カラオケ機器Ｍの大きさや好ましレイアウトなどに応じて天地方向に複数段階の高さ調節を行うことできる。
【００２２】
また、側壁板３・３には、第一螺子穴３２が設けられている内側とは反対面である外側に、長手方向及び短手方向に直径を５ｍｍ〜１０ｍｍとする複数の円形の第二螺子穴３３が設けられている。この第二螺子穴３３を設けることにより、側壁板３・３の外側にマイクスタンド、ドリンクホルダーなどカラオケの用に供する備品を固設することができる。
【００２３】
第一背面板４、第二背面板５は、天板１と底板２に当接し、所定の間隔をあけて立設されている板部材である。第一背面板４、第二背面板５により、本考案のラックがゆがんだり変形したりすることを防ぐことができるとともに、カラオケ機器Ｍを本考案のラックに載置した状態で移動させるときに、ドアノブなどの突起物に不用意に衝突させてしまうことでカラオケ機器Ｍが故障することを防止することができる。さらに、本考案のラックを静置しているときに、本考案のラックの背面側から入っている埃等を防ぐことができる。また、スライド棚７の取り外し機構によっては、第一背面板４、第二背面板５を所定の間隔をあけて立設することにより、スライド棚７の高さ調整をするときにカラオケ機器Ｍの配線をその度に取り外すことなく簡便に作業することができる。
【００２４】
第一背面板４と第二背面板５が平行に設けられ、それぞれの間隔が２５０〜３５０ｍｍであることがより好ましい。このように配設することにより、カラオケ機器Ｍの配線の妨げになることなく、外部からの埃の侵入を防止、または緩和することができる。
【００２５】
伸縮手段６は、係合穴３１に対し着脱自在で、伸び縮みしうる部材である。具体的には、それぞれの側壁板３の内側に設けられた基部６０に固定された第一レール６１と、スライド棚７の両側面に設けられた第二レール６２と、第一レール６１と第二レール６２との間に回転自在に設けられた回転体６３を有している。平行に設けられおおよそ同じ長さである第一レール６１と第二レール６２とが回転体６３を介して互い前後方向という一定の方向に移動することにより、第一レール６１と第二レール６２が近接して重なりあっているときには伸縮手段６が最も短い状態となり、第一レール６１と第二レール６２が最も離れているときには伸縮手段６が最も長い状態となる。このように、伸縮手段６を設けることにより、伸縮手段６を介してスライド棚７に載置されているカラオケ機器Ｍに設けられた空冷ファンの給気孔がカラオケ機器Ｍの左右側面に取り付けられているためにその給気孔に溜まった埃を掃除するというメンテナンスや交換作業を行うときに、作業者が一人であっても簡便にカラオケ機器を移動することができる。
【００２６】
また、第一レール６１の外側に位置する基部６０の側面、すなわち、基部６０の側壁板３側には係合穴３１に嵌る係合突起６４が設けられており、側壁板３に伸縮手段６を脱落しないよう固定しているが、接着等がなされておらず単に嵌め合わせているだけなので、スライド棚７を伸縮手段６から抜き取ってからであれば、側壁板３から伸縮手段６を自在に取り外しできるから着脱自在となっている。そして、第一レール６１と第二レール６２とは、通常取り外しできないようになっているが、図示しない係合解除ボタンを操作することにより、第一レール６１と第二レール６２とを分離することができる。なお、回転体６３は、本実施形態において球状であるが、他の実施形態において円板状とすることもできる。
【００２７】
スライド棚７は、係合穴３１に対し着脱自在である伸縮手段６を介し、それぞれの側壁板３・３の短手方向に対して移動可能であり、カラオケ機器Ｍの筐体を載置する板部材である。スライド棚７の左右側面、すなわち、側壁板３・３と対向する面には、伸縮手段６の第二レール６２が固設されている。このため、伸縮手段６の第一レール６１と第二レール６２とを分離することにより、スライド棚７を取り外すことができる。
【００２８】
そして、スライド棚７の底面前方には、半円柱状に窪んだ引手溝７１が設けられている。カラオケ機器Ｍのメンテナンスを行う作業者が、収納されているスライド棚７を引き出すときに、手を引手溝７１に掛けることにより、作業者は手に力が入りやすくなりスムーズにスライド棚７を引き出すことができる。
【００２９】
また、スライド棚７の上面の適宜箇所に着脱自在である棒部材７２を備えている。棒部材７２は、カラオケ機器Ｍを載置したスライド棚７を本考案のラック内に押し込んだり、地震等の揺れによる衝撃が生じたりしたときにでも、カラオケ機器Ｍがスライド棚７から滑り落ちないようにする角柱状の部材であり、スライド棚７の横幅である長手方向とおおよそ同じ長さを有している。また、スライド棚７の上面と当接する棒部材７２の下面には両面テープなどが設けられており、スライド棚７に対して固定したり取り外したり自在に行うことができる。本実施形態において、着脱自在とする手段が両面テープであるが、他の実施形態において、磁石、面ファスナー、凹凸による嵌合構造など種々の手段を用いることができる。
【００３０】
脚輪８は、底板２の底面の四隅それぞれに設けられた方向変換自在の部材である。脚輪８により、重量が重いカラオケ機器Ｍを載置した状態においても、作業者一人で適宜所望の場所に移動することができる。脚輪８は、それぞれ底板２の角から５０ｍｍ〜７０ｍｍの位置に取付けらえていることが好ましい。また、他の実施形態において、４個の脚輪８のうち前面側の二個において、それぞれ棒状のストッパーを設け、そのストッパーを操作することにより、ストッパーの突起物が脚輪８と係止して回転しないようにして、ラックを移動しないようにすることができ、また、その突起物と脚輪８の係止を解除して回転するようにして、本考案のラックを所望の場所に移動することができるようにしてもよい。
【００３１】
可動棚板９は、平板状の板部材であり、本考案のラックの内部に収容されて、ワイヤレスマイクのレシーバー、マラカス、タンバリンなどカラオケの用に供する部材などを載置するためなどに用いられる。また、可動棚板９に底面の四隅には、半円柱状の窪みが設けられており、この窪みが第一螺子穴３２と螺着する係止ピンＰと係止することにより、単に可動棚板９を前方に引くだけでは取り出せず、可動棚板９を上方に持ち上げてから前方に引き出さないと取り出すことができない。可動棚板９は、側壁板３・３の内側に設けられた、側壁板３・３の長手方向に並ぶ複数の第一螺子穴３２に応じて、多段階に高さを調整することができる。本実施形態において、可動棚板９は、９段階に高さ調整することができる。また、可動棚板９は、取り外しができるために、不要である場合には外しておくことができる。
【００３２】
固定棚板９１は、平板状の板部材であり、側壁板３・３の内側に固設されている。固定棚板９１も、可動棚板９と同様に、アンプＡなどカラオケの用に供する部材などを載置するためなどに用いられる。固定棚板９１の左右側面、すなわち、側壁板３・３の内側と対向する面が、嵌合、接着などの方法により、側壁板３・３の内側に固定されている。
【００３３】
また、固定棚板９１、底板２、二つの側壁板３・３、第一背面板４、第二背面板５により囲まれた空間には、スピーカーなどカラオケの用に供する部材などを収納するためなどに用いられる。本実施形態において、その空間の前面には、内部を見えないようにする長方形状の目隠し部材Ｂが着脱自在に設けられている。目隠し部材Ｂは平板状の部材であり、側壁板３・３、固定棚板９１、底板２などと面ファスナー、フック、ボタン、磁石などを介すことにより、目隠し部材Ｂを取り付けたり、取り外したり自在に行うことができる。なお、その囲まれた空間にスピーカーを収納するときには、目隠し部材Ｂの表面の材料は、メッシュ状など通気性を有するものであることが好ましい。
【００３４】
図５に示すように、カラオケ機器Ｍを載置したスライド棚７を前方に引き出すと、カラオケ機Ｍの側面が視認しやすくなり、カラオケ機に設けられた空冷ファンの給気孔がカラオケ機器Ｍの左右側面に取り付けられているためにその給気孔に溜まった埃を容易に掃除することができる。
【００３５】
＜第二実施形態＞
図７に示すように、本実施形態のカラオケ機器用スライド棚付きラックは、第一実施形態と同様に、天板１と、天板１の下方に位置する底板２と、天板１と底板２に当接し、長手方向に互いに対向する複数の係合穴３１が設けられた２枚の側壁板３・３と、天板１と底板２に当接し、所定の間隔をあけて立設されている第一背面板４と第二背面板５と、係合穴３１に対し着脱自在である伸縮手段６を介し、それぞれの側壁板３・３の短手方向に対して移動可能であり、カラオケ機器Ｍの筐体を載置するスライド棚７と、底板２の底面の四隅それぞれに設けられた方向変換自在の脚輪８・８・８・８を備えている。それぞれの構成部材の詳細な説明については、第一実施形態において説明した内容と同様である。
【００３６】
第二実施形態において、第一実施形態と異なるところは、側壁板３・３の少なくとも一方の外側に充電スタンドＳを有している点である。図６においては示されていないが、充電スタンドＳの底面には、外部電源と電源ケーブルを介して接続される端子が設けられている。近年、カラオケにおいて、いわゆるタブレット端末のような平板状の電子機器が用いられ、歌いたい楽曲の選択やその他のサービスを享受することができ、利便性が向上しているが、大きな画像表示部を備えているために電気の消耗が大きくなっている。このため、充電スタンドＳを備えることにより、カラオケに興じた使用者がその電子機器を充電スタンドＳに載置することで、次の使用者が使用するまで充電することができる。
【００３７】
具体的には、本実施形態において、充電スタンドＳは、天地方向に二つ並んで上向きに開口している収納部Ｓ１を有し、その収納部Ｓ１の上方に水平方向に延びその電子機器の脱落を防止する棒状の係止棒Ｓ２を有している。使用者は、平板状の電子機器を上方から収納部Ｓ１に挿入し、その電子機器に設けられた端子と収納部Ｓ１に設けられた図示しない端子が接合することにより、その電子機器を充電することができる。
【符号の説明】
【００３８】
１・・・天板
２・・・底板
３・・・側壁板
３１・・・係合穴
３２・・・第一螺子穴
３３・・・第二螺子穴
４・・・第一背面板
５・・・第二背面板
６・・・伸縮手段
６０・・・基部
６１・・・第一レール
６２・・・第二レール
６３・・・回転体
６４・・・係合突起
７・・・スライド棚
７１・・・引手溝
７２・・・棒部材
８・・・脚輪
９・・・可動棚板
９１・・・固定棚板
Ｂ・・・目隠し部材
Ｍ・・・カラオケ機器
Ａ・・・アンプ
Ｓ・・・充電スタンド
Ｓ１・・・収納部
Ｓ２・・・係止棒
Ｐ・・・係止ピン
【図１】
0003205932.tif 000003
【図２】
0003205932.tif 000004
【図３】
0003205932.tif 000005
【図４】
0003205932.tif 000006
【図５】
0003205932.tif 000007
【図６】
0003205932.tif 000008
【図７】
0003205932.tif 000009